(57)【要約】【課題】ノイズフィルタを構成する２種類のチョークコイルの複合化により、部品点数を削減し、且つ小型化を図ることにある。【解決手段】電源と電力変換装置との間を結ぶ電路に設けられるノイズフィルタに用いられ、コモンモードノイズを抑制する単相用のチョークコイル装置において、閉磁路を形成する磁性体コア8,9及びこの磁性体コアの一対の磁脚部に巻回される巻線10a1,10a2,10b1,10b2からなる二つのチョークコイルをそれぞれの一つの磁脚部が隣り合うように並設し、各チョークコイルの各磁脚部の巻線は互いに逆向きになるように、且つ両チョークコイルの隣り合う磁脚部の巻線は異なる相の組合せとなるようにそれぞれ巻回され、二つのチョークコイルの隣り合う磁脚部の両端部間に空隙を存して二つのチョークコイルの磁性体コアを磁気的に結合させる二つの磁性体ブロックを14,15を設ける。【選択図】      図１
2006222387.tif 000002
【特許請求の範囲】
【請求項１】
電源と電力変換装置との間を結ぶ電路に設けられるノイズフィルタに用いられ、コモンモードノイズを抑制する単相用のチョークコイル装置において、
閉磁路を形成する磁性体コア及びこの磁性体コアの一対の磁脚部に巻回される巻線からなる二つのチョークコイルをそれぞれの一つの磁脚部が隣り合うように並設し、各チョークコイルの各磁脚部の巻線は互いに逆向きになるように、且つ両チョークコイルの隣り合う磁脚部の巻線は異なる相の組合せとなるようにそれぞれ巻回され、二つのチョークコイルの隣り合う磁脚部の両端部間に空隙を存して二つのチョークコイルの磁性体コアを磁気的に結合させる二つの磁性体ブロックを設ける構成としたことを特徴とするチョークコイル装置。
【請求項２】
電源と電力変換装置との間を結ぶ電路に設けられるノイズフィルタに用いられ、コモンモードノイズを抑制する単相用のチョークコイル装置において、
閉磁路を形成する磁性体コア及びこの磁性体コアの一対の磁脚部に巻回される巻線からなる二つのチョークコイルをそれぞれの一つの磁脚部が隣り合うように並設し、各チョークコイルの各磁脚部の巻線は同じ方向になるように、且つ両チョークコイルの隣り合う磁脚部の巻線は同じ相になるようにそれぞれ巻回され、二つのチョークコイルの隣り合う磁脚部の両端部間に空隙を存して二つのチョークコイルの磁性体コアを磁気的に結合させる二つの磁性体ブロックを設ける構成としたことを特徴とするチョークコイル装置。
【請求項３】
電源と電力変換装置との間を結ぶ電路に設けられるノイズフィルタに用いられ、コモンモードノイズを抑制する単相用のチョークコイル装置において、
閉磁路を形成する磁性体コア及びこの磁性体コアの一対の磁脚部に巻回される巻線からなる二つのチョークコイルをそれぞれの一つの磁脚部が隣り合うように並設し、各チョークコイルの各磁脚部の巻線は互いに逆向きになるように、且つ両チョークコイルの隣り合う磁脚部の巻線は異なる相の組合せとなるようにそれぞれ巻回され、二つのチョークコイルの隣り合う磁脚部の両端部の対向面側にはそれぞれ突起部が設けられる構成として、前記二つのチョークコイルの磁性体コアが前記突起部間に存する空隙を介して磁気的に結合されるようにしたことを特徴とするチョークコイル装置。
【請求項４】
電源と電力変換装置との間を結ぶ電路に設けられるノイズフィルタに用いられ、コモンモードノイズを抑制する単相用のチョークコイル装置において、
閉磁路を形成する磁性体コア及びこの磁性体コアの一対の磁脚部に巻回される巻線からなる二つのチョークコイルをそれぞれの一つの磁脚部が隣り合うように並設し、各チョークコイルの各磁脚部の巻線は同じ方向になるように、且つ両チョークコイルの隣り合う磁脚部の巻線は同じ相になるようにそれぞれ巻回され、二つのチョークコイルの隣り合う磁脚部の両端部の対向面側にはそれぞれ突起部が設けられる構成として、前記二つのチョークコイルの磁性体コアが前記突起部間に存する空隙を介して磁気的に結合されるようにしたことを特徴とするチョークコイル装置。
【請求項５】
請求項３又は請求項４記載のチョークコイル装置において、前記二つのチョークコイルの隣り合う磁脚部の両端部の対向面側にそれぞれ設けられた突起部間の空隙に該空隙の幅を調整するためのピンを設けたことを特徴とするチョークコイル装置。
【請求項６】
電源と電力変換装置との間を結ぶ電路に設けられるノイズフィルタに用いられ、コモンモードノイズを抑制する単相用のチョークコイル装置において、
並設される二つのチョークコイルの磁性体コアとして、一対の磁脚部を組とする２組の各磁脚部の一端部がヨーク部により共通につながれ、各組の磁脚部同士の他端部をヨーク部によりそれぞれつないで各ヨーク部の対面する端部間に空隙を設けた１つの磁性体コアを構成し、各組の磁脚部の巻線は互いに逆向きになるように、隣り合う一方の組の磁脚部と他方の組の磁脚部の巻線が異なる相の組合せとなるようにそれぞれ巻回したことを特徴とするチョークコイル装置。
【請求項７】
電源と電力変換装置との間を結ぶ電路に設けられるノイズフィルタに用いられ、コモンモードノイズを抑制する単相用のチョークコイル装置において、
並設される二つのチョークコイルの磁性体コアとして、一対の磁脚部を組とする２組の各磁脚部の一端部がヨーク部により共通につながれ且つ各組の磁脚部同士の他端部をヨーク部によりそれぞれつないで各ヨーク部の対面する端部間に空隙を設けた１つの磁性体コアを構成し、各組の磁脚部の巻線は互いに同じ方向になるように、隣り合う一方の組の磁脚部と他方の組の磁脚部の巻線は同じ相になるようにそれぞれ巻回したことを特徴とするチョークコイル装置。
【請求項８】
電源と電力変換装置との間を結ぶ電路に設けられるノイズフィルタに用いられ、コモンモードノイズを抑制する単相用のチョークコイル装置において、
閉磁路を形成する磁性体コア及びこの磁性体コアの一対の磁脚部に巻回される巻線からなる二つのチョークコイルをそれぞれの磁脚部を対向させて並設し、各チョークコイルの各磁脚部の巻線はお互いに同じ方向になるように、且つ両チョークコイルの対向する磁脚部の巻線は異なる相になるようにそれぞれ巻回され、二つのチョークコイルの対面する磁脚部の両端部間に空隙を存して二つのチョークコイルの磁性体コアを磁気的に結合させる二つの磁性体ブロックを設ける構成としたことを特徴とするチョークコイル装置。
【請求項９】
電源と電力変換装置との間を結ぶ電路に設けられるノイズフィルタに用いられ、コモンモードノイズを抑制する単相用のチョークコイル装置において、
閉磁路を形成する磁性体コア及びこの磁性体コアの一対の磁脚部に巻回される巻線からなる二つのチョークコイルをそれぞれの磁脚部が対向するように並設し、各チョークコイルの各磁脚部の巻線は逆向きになるように、且つ両チョークコイルの対向する磁脚部の巻線は同じ相の組合せになるようにそれぞれ巻回され、二つのチョークコイルの対面する磁脚部の両端部間に空隙を存して二つのチョークコイルの磁性体コアを磁気的に結合させる二つの磁性体ブロックを設ける構成としたことを特徴とするチョークコイル装置。
【請求項１０】
電源と電力変換装置との間を結ぶ電路に設けられるノイズフィルタに用いられ、コモンモードノイズを抑制する単相用のチョークコイル装置において、
閉磁路を形成する磁性体コア及びこの磁性体コアの一対の磁脚部に巻回される巻線からなる二つのチョークコイルをそれぞれの磁脚部が対向するように並設し、各チョークコイルの各磁脚部の巻線は同じ方向になるように、且つ両チョークコイルの対向する磁脚部の巻線は異なる相になるようにそれぞれ巻回され、二つのチョークコイルの対向する磁脚部の両端部の対面側にはそれぞれ突起部が設けられる構成として、前記二つのチョークコイルの磁性体コアが前記突起部間に存する空隙を介して磁気的に結合されるようにしたことを特徴とするチョークコイル装置。
【請求項１１】
電源と電力変換装置との間を結ぶ電路に設けられるノイズフィルタに用いられ、コモンモードノイズを抑制する単相用のチョークコイル装置において、
閉磁路を形成する磁性体コア及びこの磁性体コアの一対の磁脚部に巻回される巻線からなる二つのチョークコイルをそれぞれの磁脚部が対向するように並設し、各チョークコイルの各磁脚部の巻線は逆向きになるように、且つ両チョークコイルの対向する磁脚部の巻線は同じ相の組合せになるようにそれぞれ巻回され、二つのチョークコイルの対向する磁脚部の両端部の対面側にはそれぞれ突起部が設けられる構成として、前記二つのチョークコイルの磁性体コアが前記突起部間に存する空隙を介して磁気的に結合されるようにしたことを特徴とするチョークコイル装置。
【請求項１２】
請求項１０又は請求項１１記載のチョークコイル装置において、前記二つのチョークコイルの対向する磁脚部の両端部の対面側にそれぞれ設けられた突起部間の空隙に該空隙の幅を調整するためのピンを設けたことを特徴とするチョークコイル装置。
【請求項１３】
請求項１乃至請求項１２のいずれかに記載のチョークコイル装置を備え、電力変換装置で発生するコモンモードノイズ及びノーマルモードノイズを抑制することを特徴とするノイズフィルタ。
【発明の詳細な説明】
【技術分野】
【０００１】
本発明は、電源と電力変換装置とを結ぶ電路に設けられるノイズフィルタに使用されるチョークコイル装置に関する。
【背景技術】
【０００２】
インバータなどの電力変換装置においては、半導体素子の高速なスイッチングに伴ってＥＭＩノイズが発生する。このＥＭＩノイズのうち、電源ラインやアースを流れる伝導ノイズは例えば電源を共通とする他の機器に伝わるとこの機器が誤動作を起こすなどの悪影響を及ぼす可能性がある。
【０００３】
この伝導ノイズにはコモンモードとノーマルモードの２種類のノイズが含まれており、これらの対策には一般的にノイズフィルタが用いられている（例えば、非特許文献１）。
【０００４】
図１０は電源と電力変換装置との間に接続される一般的な単相用のノイズフィルタを示す回路図である。
【０００５】
このノイズフィルタは、図１０に示すように２つのコモンモードチョークコイル１，２、これらコモンモードチョークコイル１，２間を結ぶ各相線路とアースラインとの間に接続された接地コンデンサ３ａ，３ｂ、コモンモードチョークコイル１と電源側端子ｔａ，ｔｂとの間に接続されたノーマルモードチョークコイル５ａ，５ｂ、電源側端子ｔａ，ｔｂ間に接続された相間コンデンサ６及びコモンモードチョークコイル２と変換装置側端子ｔｃ，ｔｄ間を結ぶ線路とアースラインとの間に接続された接地コンデンサ４ａ，４ｂ、変換装置側端子ｔｃ，ｔｄ間に接続された相間コンデンサ７により構成されている。
【０００６】
このような構成のノイズフィルタにおいて、コモンモードチョークコイル１，２はコモンモードノイズに対して高インピーダンスを、また接地コンデンサ３ａ，３ｂ及び４ａ，４ｂは低インピーダンスを示している。このため、電力変換装置から発生するコモンモードノイズは電源側に流れようとするが、コモンモードチョークコイル１，２が高インピーダンスを呈しているので、電源まで伝達されず、低インピーダンスの接地コンデンサ３ａ，３ｂ及び４ａ，４ｂをバイパスして電力変換装置側へ戻っていく。
【０００７】
一方、電力変換装置から発生するノーマルモードノイズに対しては、ノーマルモードチョークコイル５ａ，５ｂが高インピーダンスに、また相間コンデンサ６，７が低インピーダンスを呈しているので、コモンモードノイズの場合と同様に電源側へのノイズの伝達が抑えられる。
【非特許文献１】「電気学会技術報告  第５４５号  パワーエレクトロニクス」Ｐ２２、２．３４図  電気学会  半導体電力変換器の電磁波障害協同研究委員会  １９９５年５月
【発明の開示】
【発明が解決しようとする課題】
【０００８】
ところで、電力変換装置から発生する２種類のノイズを抑えるためには、それぞれに対応するコモンモードチョークコイルとノーマルモードチョークコイルが必要となるため、ノイズフィルタの大型化、あるいは部品点数の増大などにつながる。
【０００９】
そこで、このノイズフィルタの小型化を図る手段として、コモンモードチョークコイルの漏れインダクタンスをノーマルモードチョークコイルとして代用して部品点数を削減することが考えられるが、必要な漏れインダクタンスを確保するためには、コモンモードチョークコイルのインダクタンスを必要以上に高くしなければならないなど、効率的な対策とはならない。
【００１０】
本発明は、上記の事情に鑑みてなされたもので、その目的はノイズフィルタを構成する２種類のチョークコイルの複合化により、部品点数を削減し、且つ小型化を図ることができるチョークコイル装置を提供することにある。
【課題を解決するための手段】
【００１１】
本発明は上記の目的を達成するため、次のような手段によりチョークコイル装置を構成する。
【００１２】
請求項１に対応する発明は、電源と電力変換装置との間を結ぶ電路に設けられるノイズフィルタに用いられ、コモンモードノイズを抑制する単相用のチョークコイル装置において、閉磁路を形成する磁性体コア及びこの磁性体コアの一対の磁脚部に巻回される巻線からなる二つのチョークコイルをそれぞれの一つの磁脚部が隣り合うように並設し、各チョークコイルの各磁脚部の巻線は互いに逆向きになるように、且つ両チョークコイルの隣り合う磁脚部の巻線は異なる相の組合せとなるようにそれぞれ巻回され、二つのチョークコイルの隣り合う磁脚部の両端部間に空隙を存して二つのチョークコイルの磁性体コアを磁気的に結合させる二つの磁性体ブロックを設ける構成とする。
【００１３】
請求項２に対応する発明は、電源と電力変換装置との間を結ぶ電路に設けられるノイズフィルタに用いられ、コモンモードノイズを抑制する単相用のチョークコイル装置において、閉磁路を形成する磁性体コア及びこの磁性体コアの一対の磁脚部に巻回される巻線からなる二つのチョークコイルをそれぞれの一つの磁脚部が隣り合うように並設し、各チョークコイルの各磁脚部の巻線は同じ方向になるように、且つ両チョークコイルの隣り合う磁脚部の巻線は同じ相になるようにそれぞれ巻回され、二つのチョークコイルの隣り合う磁脚部の両端部間に空隙を存して二つのチョークコイルの磁性体コアを磁気的に結合させる二つの磁性体ブロックを設ける構成とする。
【００１４】
請求項３に対応する発明は、電源と電力変換装置との間を結ぶ電路に設けられるノイズフィルタに用いられ、コモンモードノイズを抑制する単相用のチョークコイル装置において、閉磁路を形成する磁性体コア及びこの磁性体コアの一対の磁脚部に巻回される巻線からなる二つのチョークコイルをそれぞれの一つの磁脚部が隣り合うように並設し、各チョークコイルの各磁脚部の巻線は互いに逆向きになるように、且つ両チョークコイルの隣り合う磁脚部の巻線は異なる相の組合せとなるようにそれぞれ巻回され、二つのチョークコイルの隣り合う磁脚部の両端部の対向面側にはそれぞれ突起部が設けられる構成として、前記二つのチョークコイルの磁性体コアが前記突起部間に存する空隙を介して磁気的に結合されるようにする。
【００１５】
請求項４に対応する発明は、電源と電力変換装置との間を結ぶ電路に設けられるノイズフィルタに用いられ、コモンモードノイズを抑制する単相用のチョークコイル装置において、閉磁路を形成する磁性体コア及びこの磁性体コアの一対の磁脚部に巻回される巻線からなる二つのチョークコイルをそれぞれの一つの磁脚部が隣り合うように並設し、各チョークコイルの各磁脚部の巻線は同じ方向になるように、且つ両チョークコイルの隣り合う磁脚部の巻線は同じ相になるようにそれぞれ巻回され、二つのチョークコイルの隣り合う磁脚部の両端部の対向面側にはそれぞれ突起部が設けられる構成として、前記二つのチョークコイルの磁性体コアが前記突起部間に存する空隙を介して磁気的に結合されるようにする。
【００１６】
請求項５に対応する発明は、請求項３又は請求項４に対応する発明のチョークコイル装置において、前記二つのチョークコイルの隣り合う磁脚部の両端部の対向面側にそれぞれ設けられた突起部間の空隙に該空隙の幅を調整するためのピンを設ける。
【００１７】
請求項６に対応する発明は、電源と電力変換装置との間を結ぶ電路に設けられるノイズフィルタに用いられ、コモンモードノイズを抑制する単相用のチョークコイル装置において、並設される二つのチョークコイルの磁性体コアとして、一対の磁脚部を組とする２組の各磁脚部の一端部がヨーク部により共通につながれ、各組の磁脚部同士の他端部をヨーク部によりそれぞれつないで各ヨーク部の対面する端部間に空隙を設けた１つの磁性体コアを構成し、各組の磁脚部の巻線は互いに逆向きになるように、隣り合う一方の組の磁脚部と他方の組の磁脚部の巻線が異なる相の組合せとなるようにそれぞれ巻回する。
【００１８】
請求項７に対応する発明は、電源と電力変換装置との間を結ぶ電路に設けられるノイズフィルタに用いられ、コモンモードノイズを抑制する単相用のチョークコイル装置において、並設される二つのチョークコイルの磁性体コアとして、一対の磁脚部を組とする２組の各磁脚部の一端部がヨーク部により共通につながれ且つ各組の磁脚部同士の他端部をヨーク部によりそれぞれつないで各ヨーク部の対面する端部間に空隙を設けた１つの磁性体コアを構成し、各組の磁脚部の巻線は互いに同じ方向になるように、隣り合う一方の組の磁脚部と他方の組の磁脚部の巻線は同じ相になるようにそれぞれ巻回する。
【００１９】
請求項８に対応する発明は、電源と電力変換装置との間を結ぶ電路に設けられるノイズフィルタに用いられ、コモンモードノイズを抑制する単相用のチョークコイル装置において、閉磁路を形成する磁性体コア及びこの磁性体コアの一対の磁脚部に巻回される巻線からなる二つのチョークコイルをそれぞれの磁脚部を対向させて並設し、各チョークコイルの各磁脚部の巻線はお互いに同じ方向になるように、且つ両チョークコイルの対向する磁脚部の巻線は異なる相になるようにそれぞれ巻回され、二つのチョークコイルの対面する磁脚部の両端部間に空隙を存して二つのチョークコイルの磁性体コアを磁気的に結合させる二つの磁性体ブロックを設ける構成とする。
【００２０】
請求項９に対応する発明は、電源と電力変換装置との間を結ぶ電路に設けられるノイズフィルタに用いられ、コモンモードノイズを抑制する単相用のチョークコイル装置において、閉磁路を形成する磁性体コア及びこの磁性体コアの一対の磁脚部に巻回される巻線からなる二つのチョークコイルをそれぞれの磁脚部が対向するように並設し、各チョークコイルの各磁脚部の巻線は逆向きになるように、且つ両チョークコイルの対向する磁脚部の巻線は同じ相の組合せになるようにそれぞれ巻回され、二つのチョークコイルの対面する磁脚部の両端部間に空隙を存して二つのチョークコイルの磁性体コアを磁気的に結合させる二つの磁性体ブロックを設ける構成とする。
【００２１】
請求項１０に対応する発明は、電源と電力変換装置との間を結ぶ電路に設けられるノイズフィルタに用いられ、コモンモードノイズを抑制する単相用のチョークコイル装置において、閉磁路を形成する磁性体コア及びこの磁性体コアの一対の磁脚部に巻回される巻線からなる二つのチョークコイルをそれぞれの磁脚部が対向するように並設し、各チョークコイルの各磁脚部の巻線は同じ方向になるように、且つ両チョークコイルの対向する磁脚部の巻線は異なる相になるようにそれぞれ巻回され、二つのチョークコイルの対向する磁脚部の両端部の対面側にはそれぞれ突起部が設けられる構成として、前記二つのチョークコイルの磁性体コアが前記突起部間に存する空隙を介して磁気的に結合されるようにする。
【００２２】
請求項１１に対応する発明は、電源と電力変換装置との間を結ぶ電路に設けられるノイズフィルタに用いられ、コモンモードノイズを抑制する単相用のチョークコイル装置において、閉磁路を形成する磁性体コア及びこの磁性体コアの一対の磁脚部に巻回される巻線からなる二つのチョークコイルをそれぞれの磁脚部が対向するように並設し、各チョークコイルの各磁脚部の巻線は逆向きになるように、且つ両チョークコイルの対向する磁脚部の巻線は同じ相の組合せになるようにそれぞれ巻回され、二つのチョークコイルの対向する磁脚部の両端部の対面側にはそれぞれ突起部が設けられる構成として、前記二つのチョークコイルの磁性体コアが前記突起部間に存する空隙を介して磁気的に結合される。
【００２３】
請求項１２に対応する発明は、請求項１０又は請求項１１に対応する発明のチョークコイル装置において、前記二つのチョークコイルの対向する磁脚部の両端部の対面側にそれぞれ設けられた突起部間の空隙に該空隙の幅を調整するためのピンを設ける。
【００２４】
請求項１３に対応する発明は、請求項１乃至請求項１２のいずれかに記載のチョークコイル装置を備え、電力変換装置で発生するコモンモードノイズ及びノーマルモードノイズを抑制する。
【発明の効果】
【００２５】
本発明によれば、ノイズフィルタを構成する２種類のチョークコイルの複合化により、部品点数を削減し、且つ小型化を図ることができる。
【発明を実施するための最良の形態】
【００２６】
以下本発明の実施形態について図面を酸使用して説明する。
【００２７】
図１（ａ），（ｂ）は本発明によるチョークコイル装置の第１の実施形態を示し、（ａ）は正面図、（ｂ）は（ａ）をＸ−Ｘ´線に沿う矢視断面図である。
【００２８】
図１（ａ），（ｂ）において、８，９は一対の磁脚部８ａ，８ｂ，９ａ，９ｂとこれら磁脚部間をつなぐヨーク部８ｃ，９ｃにより閉磁路を形成する磁性体コアで、これら２つの磁性体コア８，９をそれぞれの一つの磁脚部が隣り合うように適宜の間隙を存して並設する。ここで、各磁性体コア８，９において、隣り合う磁脚部８ｂ，９ａを内側磁脚部、これとは相反する側の磁脚部８ａ，９ｂを外側磁脚部と呼ぶ。
【００２９】
一方の磁性体コア８には外側磁脚部８ａに例えばＲ相の巻線１０ａ１と内側磁脚部８ｂに例えばＳ相の巻線１０ｂ１を、また他方の磁性体コア９には内側磁脚部９ａにＲ相の巻線１０ａ２と外側磁脚部９ｂにＳ相の巻線１０ｂ２をそれぞれコモンモード電流により磁束が強め合う向きに巻回して、２つのコモンモードチョークコイルを構成する。
【００３０】
但し、２つのコモンモードチョークコイル間で巻線は逆向きになるように巻回されている。すなわち、図１（ａ）において、Ｒ相の巻線１０ａ１が反時計回りの場合、巻線１０ａ２は時計回りになる。そして、Ｓ相においても巻線１０ｂ１が時計回りであるのに対して巻線１０ｂ２は反時計回りとなる。また、磁性体コア８，９の互いに近接する内側磁脚部８ｂ，９ａの巻線は異なる相の組合せとする。
【００３１】
これら巻線１０ａ１と１０ａ２及び巻線１０ｂ１と１０ｂ２は、それぞれ中間端子１１ａ，１１ｂで接続される。また、巻線１０ａ１と１０ｂ１のそれぞれの入力端子１２ａ，１２ｂは電源側に、巻線１０ａ２と１０ｂ２のそれぞれの出力端子１３ａ，１３ｂは電力変換装置側に接続される。
【００３２】
一方、磁性体コア８，９の内側磁脚部８ｂ，９ａの両端側に対応するヨーク部８ｃ，９ｃの対向面間には、磁性体ブロック１４と１５がそれぞれ空隙を存して配置される。なお、図１では磁性体ブロック１４及び１５の両側に空隙を存しているが、この空隙はいずれか一箇所以上存していればよい。
【００３３】
このような構成のチョークコイル装置においては、点線矢印で示すようにコモンモード電流Ｉｃにより磁気回路に磁束φｃが通る磁性体コア８と巻線１０ａ１，１０ｂ１とで一つのコモンモードチョークコイルを、また磁性体コア９と巻線１０ａ２，１０ｂ２とでもう一つのコモンモードチョークコイルを構成するのに加えて、実線矢印で示すように各巻線を流れるノーマルモード電流Ｉｎに対しては、磁性体ブロック１４，１５を介して二つの磁性体コア８と９にまたがる磁気回路が形成され、磁束φｎが通るので、チョークコイルはノーマルモードノイズに対しても高いインピーダンスを呈する。
【００３４】
なお、磁性体コア８，９及び磁性体ブロック１４，１５との間の空隙は、各巻線１０ａ１，１０ｂ１，１０ａ２，１０ｂ２を流れる電流によって磁性体コア８，９及び磁性体ブロック１４，１５が飽和しないようにその幅を確保する。
【００３５】
このように第１の実施形態によれば、２つのコモンモードチョークコイルを利用してノーマルモードのインダクタンスが確保できるので、個別にノーマルモードチョークコイルを設ける必要がなくなり、チョークコイル装置の小型化を図ることができる。
【００３６】
図２（ａ），（ｂ）は本発明によるチョークコイル装置の第２の実施形態を示し、（ａ）は正面図、（ｂ）は（ａ）をＸ−Ｘ´線に沿う矢視断面図で、図１と同一部分には同一符号を付してその説明を省略し、ここでは異なる点について述べる。
【００３７】
第２の実施形態では、図２に示すように磁性体コア８，９の内側磁脚部８ｂ，９ａに巻回される巻線が同相となるように第１の実施形態で述べた磁性体コア９の巻線１０ａ２と１０ｂ２とを入れ替えて、更に巻回方向を逆にしている。そして、磁性体コア８の外側磁脚部８ａの巻線１０ａ１と磁性体コア９の外側磁脚部９ｂの巻線１０ａ２、磁性体コア８の内側磁脚部８ｂの巻線１０ｂ１と磁性体コア９の内側磁脚部９ａの巻線１０ｂ２の巻き方向が同じ方向になるようにしてそれぞれをＲ相中間端子１１ａ、Ｓ相中間端子１１ｂで接続したものである。
【００３８】
このような構成としても各巻線１０ａ１，１０ｂ１，１０ａ２，１０ｂ２を流れるノーマルモード電流が作る磁束φｎに対して、磁性体ブロック１４，１５を介して２つの磁性体コア８，９にまたがる磁気抵抗の低い磁気回路が形成されるので、第１の実施形態と同様の作用効果を得ることができる。
【００３９】
図３（ａ），（ｂ）は本発明によるチョークコイル装置の第３の実施形態を示し、（ａ）は正面図、（ｂ）は（ａ）をＸ−Ｘ´線に沿う矢視断面図で、図１と同一部分には同一符号を付してその説明を省略し、ここでは異なる点について述べる。
【００４０】
第３の実施形態では、図３に示すように一対の磁脚部１６ａ，１６ｂ，１７ａ，１７ｂとこれら磁脚部間をつなぐヨーク部１６ｃ，１７ｃにより閉磁路を形成し、且つ内側磁脚部１６ｂ，１７ａの両端側に対応するヨーク部１６ｃ，１７ｃの端面に水平に延びる突起部１６ｄ，１７ｄを設けた磁性体コア１６，１７をそれぞれの内側磁脚部が隣り合うように適宜の間隙を存して並設するようにしたもので、それ以外は第１の実施形態と同様である。
【００４１】
このような構成とすれば、第１の実施形態のように磁性体ブロック１４，１５を設けなくても、磁性体コア１６，１７の内側磁脚部１６ｂ，１７ａの両端側に対応するヨーク部１６ｃ，１７ｃの端面に設けられた突起部１６ｄ，１７ｄが空隙を存して対向配置されているので、第１の実施形態と同様にノーマルモード電流に対して高いインダクタンスが確保される。
【００４２】
従って、第１の実施形態と同様の作用効果が得られることに加え、部品点数が削減でき、チョークコイル装置の製造が容易になる。
【００４３】
なお、二つのチョークコイルの磁性体コア８，９の各磁脚部に巻回される各巻線の巻回方向及び相の組合せについては、第２の実施形態と同様に構成しても上記実施形態と同様の作用効果を得ることができる。
【００４４】
図４（ａ），（ｂ）は本発明によるチョークコイル装置の第４の実施形態を示し、（ａ）は正面図、（ｂ）は（ａ）をＸ−Ｘ´線に沿う矢視断面図で、図３と同一部分には同一符号を付してその説明を省略し、ここでは異なる点について述べる。
【００４５】
第４の実施形態では、磁性体コア１６，１７の内側磁脚部１６ｂ，１７ａの両端側に対応するヨーク部１６ｃ，１７ｃの端面に設けられた突起部１６ｄ，１７ｄ間に空隙の幅を調整するためのピン１８，１９を設けたものである。なお、ピン１８，１９は磁性体コア１６，１７の突起部１６ｄ，１７ｄのどちらか一方又は両方に一体的に形成されていても良い。
【００４６】
ここで、ピン１８，１９が磁性体の場合、その断面積が大きいと、２つの磁性体コア１６，１７間をまたがる経路の磁気抵抗が低くなり、磁性体コア１６，１７が磁気飽和してチョークコイルとしての性能が低下する。このため、ピン１８，１９のうち少なくとも一方は、磁性体コア１６，１７が磁気飽和しない程度に断面積を小さくする必要がある。
【００４７】
このような構成とすれば、第１の実施形態及び第３の実施形態と同様の作用効果が得られることに加え、チョークコイル装置の組立ておいて空隙の調整が容易になる。
【００４８】
図５（ａ），（ｂ）は本発明によるチョークコイル装置の第５の実施形態を示し、（ａ）は正面図、（ｂ）は（ａ）をＸ−Ｘ´線に沿う矢視断面図で、図１と同一部分には同一符号を付してその説明を省略し、ここでは異なる点について述べる。
【００４９】
第５の実施形態では、図５に示すように４つの磁脚部２０ａ，２０ｂ，２０ｃ，２０ｄとこれら各磁脚部の一端部間をつなぐヨーク部２０ｅ１、磁脚部２０ａ，２０ｂの他端部間をつなぐヨーク部２０ｅ２とこのヨーク部２０ｅ２の端面と間隙を存し且つ磁脚部２０ｃ，２０ｄの他端部間をつなぐヨーク部２０ｅ３により一体化した１つの磁性体コア２０を構成し、それ以外は第１の実施形態と同様に磁性体コア２０の磁脚部２０ａにＲ相の巻線１０ａ１と磁脚部２０ｂにＳ相の巻線１０ｂ１を、また磁脚部２０ｃにＲ相の巻線１０ａ２と磁脚部２０ｄにＳ相の巻線１０ｂ２をそれぞれコモンモード電流により磁束が強め合う向きに巻回するものである。
【００５０】
このような構成としても、ノーマルモード電流に対してインダクタンスが確保されるので、第１の実施形態と同様の作用効果が得られることに加え、２つの磁性体コアを一体化した１つの磁性体コア２０を用いているので、コイル製作時に空隙を調整する必要がなく、製作が容易である。
【００５１】
なお、二つのチョークコイルの磁性体コア２０の各磁脚部に巻回される各巻線の巻回方向及び相の組合せについては、第２の実施形態と同様に構成しても上記実施形態と同様の作用効果を得ることができる。
【００５２】
図６（ａ），（ｂ），（ｃ）は本発明によるチョークコイル装置の第６の実施形態を示し、（ａ）は正面図、（ｂ）は（ａ）をＹ−Ｙ´線に沿う矢視断面図、（ｃ）は（ｂ）をＡ矢印方向から見た図で、図１と同一部分には同一符号を付して説明する。
【００５３】
図６に示すように第１の実施形態で述べた磁性体コア８の一対の磁脚部８ａ，８ｂと磁性体コア９の一対の磁脚部９ａ，９ｂとが対面するように２つの磁性体コア８，９を適宜の間隙を存して配置し、磁性体コア８の磁脚部８ａにＲ相の巻線１０ａ１を、磁脚部８ｂにＳ相の巻線１０ｂ１を巻回し，また磁性体コア９の磁脚部９ａにＲ相の巻線１０ａ２を、磁脚部９ｂにＳ相の巻線１０ｂ２を巻回して、２つのコモンモードチョークコイルを形成する。
【００５４】
そして、これら巻線１０ａ１と１０ａ２及び巻線１０ｂ１と１０ｂ２は、それぞれ中間端子１１ａ，１１ｂで接続される。また、巻線１０ａ１と１０ｂ１のそれぞれの入力端子１２ａ，１３ａは電源側に、巻線１０ａ２と１０ｂ２のそれぞれの出力端子１３ａ，１３ｂは電力変換装置側に接続される。
【００５５】
また、磁性体コア８の一対の磁脚部８ａ，８ｂの両端側に対応するヨーク部８ｃと磁性体コア９の一対の磁脚部９ａ，９ｂの両端側に対応するヨーク部９ｃとの間に磁性体ブロック２１，２２を空隙を存して配置する。
【００５６】
このような構成としても、第１の実施形態と同様に２つの磁性体ブロック２１，２２を介して２つの磁性体コア８，９をまたいでノーマルモード電流に対して磁気回路が形成されるので、第１の実施形態と同様の作用効果を得ることができる。
【００５７】
図７（ａ），（ｂ），（ｃ）は本発明によるチョークコイル装置の第７の実施形態を示し、（ａ）は正面図、（ｂ）は（ａ）をＹ−Ｙ´線に沿う矢視断面図、（ｃ）は（ｂ）をＡ矢印方向から見た図で、図６と同一部分には同一符号を付してその説明を省略し、ここでは異なる点について述べる。
【００５８】
第７の実施形態では、図７に示すように磁性体コア８，９の磁脚部８ｂ，９ａに巻回される巻線が同相となるように第６の実施形態で述べた磁性体コア９の巻線１０ａ２と１０ｂ２とを入れ替えて、更に巻回方向を逆にしている。そして、磁性体コア８の磁脚部８ａの巻線１０ａ１と磁性体コア９の磁脚部９ｂの巻線１０ａ２、磁性体コア８の磁脚部８ｂの巻線１０ｂ１と磁性体コア９の磁脚部９ａの巻線１０ｂ２の巻き方向が同じ方向になるようにしてそれぞれをＲ相中間端子１１ａ、Ｓ相中間端子１１ｂで接続したものである。
【００５９】
このような構成としても各巻線１０ａ１，１０ｂ１，１０ａ２，１０ｂ２を流れるノーマルモード電流が作る磁束φｎに対して、磁性体ブロック２１，２２を介して２つの磁性体コア８，９にまたがる磁気抵抗の低い磁気回路が形成され、第６の実施形態と同様にノーマルモードのインダクタンスが確保されるので、第６の実施形態と同様の作用効果を得ることができる。
【００６０】
図８（ａ），（ｂ），（ｃ）は本発明によるチョークコイル装置の第８の実施形態を示し、（ａ）は正面図、（ｂ）は（ａ）をＹ−Ｙ´線に沿う矢視断面図、（ｃ）は（ｂ）をＡ矢印方向から見た図で、図６と同一部分には同一符号を付してその説明を省略し、ここでは異なる点について述べる。
【００６１】
第８の実施形態では、図８に示すように磁性体コア２３の一対の磁脚部２３ａ，２３ｂと磁性体コア２４の一対の磁脚部２４ａ，２４ｂとが対面するように２つの磁性体コア２３，２４を適宜の間隙を存して配置する構成は第６の実施形態と同様であるが、磁脚部２３ａ，２３ｂの両端部つなぐヨーク部２３ｃ及び磁脚部２４ａ，２４ｂの両端部をつなぐヨーク部２４ｃの対面する側の上下２か所の端面にそれぞれ水平に延びる突起部２３ｄ，２４ｄを設けて磁性体ブロックを省略したもので、それ以外は第６の実施形態と同様である。
【００６２】
なお、図８では対面する側の上、下２箇所のそれぞれの端面に突起部２３ｄ，２４ｄを設けたが、いずれか１箇所の端面にのみ突起部を設けるようにしても良い。
【００６３】
このような構成としても第６の実施形態と同様にノーマルモード電流に対してインダクタンスが確保できるので、第１の実施形態と同様の作用効果が得られることに加えて、第６の実施形態の場合と比べて部品点数が削減でき、チョークコイル装置の製造が容易になる。
【００６４】
なお、二つのチョークコイルの磁性体コア２３，２４の各磁脚部に巻回される各巻線の巻回方向及び相の組合せについては第７の実施形態と同様に構成しても上記実施形態と同様の作用効果を得ることができる。
【００６５】
図９（ａ），（ｂ），（ｃ）は本発明によるチョークコイル装置の第９の実施形態を示し、（ａ）は正面図、（ｂ）は（ａ）をＹ−Ｙ´線に沿う矢視断面図、（ｃ）は（ｂ）をＡ矢印方向から見た図で、図８と同一部分には同一符号を付してその説明を省略し、ここでは異なる点について述べる。
【００６６】
第９の実施形態では、２つの磁性体コア２３，２４の磁脚部２３ａ，２３ｂの両端部つなぐヨーク部２３ｃ及び磁脚部２４ａ，２４ｂの両端部をつなぐヨーク部２４ｃの対面する側の上下２か所の端面にそれぞれ設けられた突起部２３ｄ，２４ｄ間に、空隙の幅を調整するためのピン２５，２６を設けるようにしたものである。なお、ピン２５，２６は磁性体コア２３，２４の突起部２３ｄ，２４ｄのどちらか一方又は両方に一体的に形成されていても良い。
【００６７】
ここで、ピン２５，２６が磁性体の場合、その断面積が大きいと、２つの磁性体コア２３，２４間をまたがる経路の磁気抵抗が低くなり、磁性体コア２３，２４が磁気飽和してチョークコイルとしての性能が低下する。このため、ピン２５，２６のうち少なくとも一方は、磁性体コア２３，２４が磁気飽和しない程度に断面積を小さくする必要がある。
【００６８】
このような構成とすれば、第６の実施形態と同様の作用効果が得られることに加え、チョークコイル装置の組立ておいて空隙の調整が容易になる。
【図面の簡単な説明】
【００６９】
【図１】（ａ），（ｂ）は本発明によるチョークコイル装置の第１の実施形態を示し、（ａ）は正面図、（ｂ）は（ａ）をＸ−Ｘ´線に沿う矢視断面図。
【図２】（ａ），（ｂ）は本発明によるチョークコイル装置の第２の実施形態を示し、（ａ）は正面図、（ｂ）は（ａ）をＸ−Ｘ´線に沿う矢視断面図。
【図３】（ａ），（ｂ）は本発明によるチョークコイル装置の第３の実施形態を示し、（ａ）は正面図、（ｂ）は（ａ）をＸ−Ｘ´線に沿う矢視断面図。
【図４】（ａ），（ｂ）は本発明によるチョークコイル装置の第４の実施形態を示し、（ａ）は正面図、（ｂ）は（ａ）をＸ−Ｘ´線に沿う矢視断面図。
【図５】（ａ），（ｂ）は本発明によるチョークコイル装置の第５の実施形態を示し、（ａ）は正面図、（ｂ）は（ａ）をＸ−Ｘ´線に沿う矢視断面図。
【図６】（ａ），（ｂ），（ｃ）は本発明によるチョークコイル装置の第６の実施形態を示し、（ａ）は正面図、（ｂ）は（ａ）をＹ−Ｙ´線に沿う矢視断面図、（ｃ）は（ｂ）をＡ矢印方向から見た図。
【図７】（ａ），（ｂ），（ｃ）は本発明によるチョークコイル装置の第７の実施形態を示し、（ａ）は正面図、（ｂ）は（ａ）をＹ−Ｙ´線に沿う矢視断面図、（ｃ）は（ｂ）をＡ矢印方向から見た図。
【図８】（ａ），（ｂ），（ｃ）は本発明によるチョークコイル装置の第８の実施形態を示し、（ａ）は正面図、（ｂ）は（ａ）をＹ−Ｙ´線に沿う矢視断面図、（ｃ）は（ｂ）をＡ矢印方向から見た図。
【図９】（ａ），（ｂ），（ｃ）は本発明によるチョークコイル装置の第９の実施形態を示し、（ａ）は正面図、（ｂ）は（ａ）をＹ−Ｙ´線に沿う矢視断面図、（ｃ）は（ｂ）をＡ矢印方向から見た図。
【図１０】電源と電力変換装置との間に接続される一般的な単相用のノイズフィルタを示す回路図。
【符号の説明】
【００７０】
１，２…コモンモードチョークコイル、３ａ，３ｂ，４ａ，４ｂ…接地コンデンサ、５ａ，５ｂ…ノーマルモードチョークコイル、６，７…相間コンデンサ、８，９，２３，２４…磁性体コア、１０ａ１，１０ａ２…Ｒ相巻線、１０ｂ１，１０ｂ２…Ｓ相巻線、１１ａ…Ｒ相中間端子、１１ｂ…Ｓ相中間端子、１２ａ…Ｒ相入力端子、１２ｂ…Ｓ相入力端子、１３ａ…Ｒ相出力端子、１３ｂ…Ｓ相出力端子、１４，１５，１６，１７，２０，２１，２２…磁性体ブロック、１８，１９，２５，２６…ピン
【図１】
2006222387.tif 000003
【図２】
2006222387.tif 000004
【図３】
2006222387.tif 000005
【図４】
2006222387.tif 000006
【図５】
2006222387.tif 000007
【図６】
2006222387.tif 000008
【図７】
2006222387.tif 000009
【図８】
2006222387.tif 000010
【図９】
2006222387.tif 000011
【図１０】
2006222387.tif 000012